(57)【要約】【課題】  流体を収容させた可撓性の収容容器を、箱状の外装体の内部に収容させた流体輸送用容器において、収容容器の口部にキャップを取り付け、またこの流体輸送用容器を段積みすることが、簡単に低コストで行えるようにする。【解決手段】  箱状で蓋部21の角部に開口部22が設けられた外装体20の内部に、プラスチック製の可撓性収容容器10が収容され、この収容容器の上面11の角部11aに、外装体の開口部と対応するように口部12が設けられ、この口部にキャップ13が取り付けられた流体輸送用容器において、外装体の開口部近傍の側壁24に係止される係止部31と、収容容器の口部を突出させると共にこの口部を係止させる係止穴32が設けられた第１保持部33と、開口部近傍の外装体の蓋部を保持する第２保持部34とを有するプラスチック製の保持部材30を設けた。【選択図】  図８
2005306438.tif 000002
【特許請求の範囲】
【請求項１】
箱状で蓋部２１の角部に開口部２２が設けられた外装体２０の内部に、流体を収容するプラスチック製の可撓性収容容器１０が収容され、この収容容器１０の上面１１の角部１１ａに、上記の外装体２０の開口部２２に対応するようにして口部１２が設けられ、この口部１２にキャップ１３が取り付けられてなる流体輸送用容器において、上記の外装体２０の開口部２２近傍の側壁２４に係止させる係止部３１と、上記の収容容器１０の口部１２を突出させると共にこの口部１２を係止させる係止穴３２が設けられた第１保持部３３と、上記の開口部２２近傍における外装体２０の蓋部２１を保持する第２保持部３４とを有するプラスチック製の保持部材３０を設けたことを特徴とする流体輸送用容器。
【請求項２】
請求項１に記載した流体輸送用容器において、上記の外装体２０が段ボールで構成されていることを特徴とする流体輸送用容器。
【請求項３】
請求項１又は請求項２に記載した流体輸送用容器において、上記の保持部材３０における第２保持部３４が、開口部２２近傍における外装体２０の蓋部２１を挟み込むようにして保持することを特徴とする流体輸送用容器。
【発明の詳細な説明】
【技術分野】
【０００１】
この発明は、液体や粉体等の流体を輸送するのに使用する流体輸送用容器に係り、特に、流体を収容させたプラスチック製の可撓性の収容容器を、段ボール等で構成された箱状の外装体の内部に収容させるようにした流体輸送用容器に関するものである。
【背景技術】
【０００２】
従来、液体や粉体等の流体を輸送するのに、一斗缶と呼ばれるブリキ缶が広く利用されていた。
【０００３】
しかし、このようなブリキ缶の場合、重量が大きく嵩張るために、その保管や輸送にスペースと手間とコストがかかるという問題があり、また耐食性も十分ではなく、収容させる液体や粉体の種類、例えば、次亜塩素酸ソーダ等の強酸化剤を含む液体洗剤等を収容させた場合、収容させた液体や粉体によってこのブリキ缶が腐食するという問題があった。
【０００４】
このため、近年においては、上記のような流体をプラスチック製の可撓性の収容容器に収容させ、このように流体を収容させた収容容器を段ボール等で構成された箱状の外装体の内部に収容させるようにした流体輸送用容器が用いられるようになった。
【０００５】
しかし、このように可撓性の収容容器に流体を収容させた場合、この収容容器が柔軟であるため、この収容容器の口部にキャップを取り付けることが困難になり、また上記の段ボール等で構成された外装体の上面の蓋部が変形しやすく、このような流体輸送用容器を段積みすることも困難になるという問題があった。
【０００６】
このため、最近においては、段ボール等で構成された箱状の外装体の周壁内面に支持段部を設け、収容容器の口部と係合する係合穴が設けられた支持板をこの支持段部に保持させるようにしたものが提案されている（例えば、特許文献１参照。）。
【０００７】
しかし、このように外装体の周壁内面に設けた支持段部によって支持板を保持させるだけでは、支持板を十分に支持することが困難であり、また支持板を十分に支持させるためには、支持段部を外装体の周壁の内面全体に設けると共に、支持板によって外装体の周壁内面全体を覆うようにしなければならず、コストが高くつく等の問題があった。
【特許文献１】特開平８−８５５７１号公報
【発明の開示】
【発明が解決しようとする課題】
【０００８】
この発明は、液体や粉体等の流体を輸送するのに使用する流体輸送用容器における上記のような問題を解決することを課題とするものであり、特に、流体を収容させたプラスチック製の可撓性収容容器を、段ボール等で構成された箱状の外装体の内部に収容させるようにした流体輸送用容器において、収容容器の口部にキャップを取り付けるのが容易に行えると共に、段ボール等で構成された外装体上面の蓋部が変形するのを抑制して、流体輸送用容器を段積みすることが、簡単に低コストで行えるようにすることを課題とするものである。
【課題を解決するための手段】
【０００９】
この発明における流体輸送用容器においては、上記のような課題を解決するため、箱状で蓋部２１の角部に開口部２２が設けられた外装体２０の内部に、流体を収容するプラスチック製の可撓性収容容器１０が収容され、この収容容器１０の上面１１の角部１１ａに、上記の外装体２０の開口部２２に対応するようにして口部１２が設けられ、この口部１２にキャップ１３が取り付けられてなる流体輸送用容器において、上記の外装体２０の開口部２２近傍の側壁２４に係止させる係止部３１と、上記の収容容器１０の口部１２を突出させると共にこの口部１２を係止させる係止穴３２が設けられた第１保持部３３と、上記の開口部２２近傍における外装体２０の蓋部２１を保持する第２保持部３４とを有するプラスチック製の保持部材３０を設けるようにしたのである。
【００１０】
ここで、上記の外装体２０を構成する材料については特に限定されないが、簡単に折り畳むことができると共に、焼却等によって簡単に処理できるものであることが好ましく、例えば、段ボールで構成されたものを用いることが好ましい。
【００１１】
また、上記の開口部２２近傍における外装体２０の蓋部２１を、保持部材３０における第２保持部３４によって保持させるにあたっては、外装体２０の蓋部２１が勝手に浮き上がったりするのを抑制すると共に、外装体２０の蓋部２１が強固に保持されるようにするため、開口部２２近傍における外装体２０の蓋部２１を第２保持部３４により挟み込むように保持させることが好ましい。
【発明の効果】
【００１２】
この発明における流体輸送用容器においては、収容容器の口部が外装体の開口部に対応するようにして、この外装体内に収容容器を収容させる一方、上記の保持部材における係止部を外装体の開口部近傍の側壁に係止させ、この保持部材の第１保持部に設けられた係止穴部を通して収容容器の口部を外装体の開口部側に突出させて、この口部を係止穴部に係止させ、収容容器を第１保持部によって保持させると共に、この保持部材の第２保持部によって開口部近傍の外装体の蓋部を保持させるようにする。
【００１３】
ここで、上記のように保持部材の係止部を外装体の開口部近傍の側壁に係止させるようにすると、従来のように支持板を外装体の周壁内面に設けた支持段部に保持させる場合に比べて、この保持部材を簡単に外装体に強固に保持させることができるようになると共に、この保持部材の第１保持部に保持された収容容器も保持部材を介して外装体に強固に保持されるようになり、プラスチック出構成された可撓性の収容容器においても、その口部にキャップを取り付けることが簡単に行えるようになると共に、外装体内において収容容器が移動したりするのも防止されるようになる。
【００１４】
また、上記のように保持部材の第２保持部によって開口部近傍の外装体の蓋部を保持させるようにしたため、この流体輸送用容器を段積みした場合において、外装体の蓋部が変形して荷崩れが生じるのも抑制されるようになる。特に、この保持部材における第２保持部により、開口部近傍の外装体の蓋部を挟み込むように保持させると、外装体の蓋部が勝手に浮き上がったりするのも抑制されるようになる。
【００１５】
また、上記の外装体を段ボールで構成すると、重量が軽く、簡単に折り畳むことができ、その保管や輸送にスペースと手間とコストがかかるということもなくなると共に、その廃棄処理も簡単に行えるようになる。
【発明を実施するための最良の形態】
【００１６】
以下、この発明の実施形態に係る流体輸送用容器を添付図面に基づいて具体的に説明する。なお、この発明に係る流体輸送用容器は下記の実施形態に示したものに限定されず、発明の要旨を変更しない範囲において、適宜変更して実施できるものである。
【００１７】
この実施形態における流体輸送用容器においては、収容容器１０として、図１及び図２に示すように、ブロー成形により中空の略立方体状に成形したプラスチックで構成された可撓性の収容容器１０を用いるようにした。ここで、上記のプラスチックとしては、一般にポリエチレンを使用し、この収容容器１０において十分な強度と可撓性が確保されるように、その厚みが約０．２〜０．５ｍｍ程度になるようにしている。
【００１８】
そして、この収容容器１０の上面１１において、一段低くなった角部１１ａに流体の注入及び取出しを行う口部１２を設け、この口部１２に密封用のキャップ１３を取り付けるようにすると共に、この収容容器１０の上面１１に取手１４を設けている。なお、この収容容器１０を簡単に折り畳めるようにするため、図３に示すように、この収容容器１０の各側壁１５に、それぞれ対角線に沿って内方に突出した折り曲げ用凹状１６を設けるようにすることも可能である。
【００１９】
一方、外装体２０としては、図４に示すように、段ボールで箱状に形成されたものを用いるようにし、その上面における蓋部２１の適当な位置に切り込みや切り抜きを形成して、この蓋部２１を適当に折り込むようにし、この蓋部２１の角部に、上記の収容容器１０の口部１２に対応した開口部２２を設けると共に、収容容器１０の取手１４を取り出すための取手取出口２３を設けるようにした。
【００２０】
また、保持部材３０としては、シート状のプラスチック材料（どのような材料を用いるか？）を用いて真空成形又は圧空成形により成形したものを用いるようにし、図５及び図６に示すように、上記の外装体２０の開口部２２近傍の側壁２４を挟み込むようにして係止される係止部３１と、上記の収容容器１０の口部１２を突出させて係止させる係止穴部３２が設けられた第１保持部３３と、上記の開口部２２近傍における外装体２０の蓋部２１を保持する第２保持部３４とを設けたものを用いるようにしている。
【００２１】
そして、上記の係止穴部３２においては、収容容器１０の口部１２を突出させて係止させるために、この係止穴部３２の周囲から放射状に複数の切り込み３２ａを設けている。
【００２２】
また、上記の第２保持部３４においては、開口部２２近傍における外装体２０の蓋部２１を挟み込むようにして保持するため、蓋部２１の底面を保持する下保持片３４ａと蓋部２１の上面を押え付ける上保持片３４ｂとを設けている。
【００２３】
そして、この実施形態における流体輸送用容器においては、上記の外装体２０における蓋部２１を開けた状態で、この外装体２０における上記の開口部２２の位置に上記の収容容器１０の口部１２が位置するようにして、この収容容器１０を外装体２０内に収容させる。
【００２４】
そして、図７及び図８に示すように、開口部２２が設けられた角部における外装体２０の側壁２４を上記の保持部材３０における係止部３１により挟み込むようにして、この保持部材３０を開口部２２が設けられた外装体２０の角部に係止させる。また、この保持部材３０の第１保持部３３に設けられた上記の係止穴部３２から上記の収容容器１０における口部１２を突出させ、係止穴部３２に設けられた切り込み３２ａにより形成される係止片３２ｂによって口部１２の下部側における段部１２ａを保持させて、この収容容器１０の口部１２を係止穴部３２に係止させ、収容容器１０を第１保持部３３に保持させる。その後、外装体２０の蓋部２１を適当に折り込んで閉じるにあたり、開口部２２の近傍における蓋部２１を第２保持部３４における下保持片３４ａと上保持片３４ｂとの間に挟み込んで、この蓋部２１を第２保持部３４によって保持させると共に、蓋部２１に形成される取手取出口２３から収容容器１０の取手１４を取り出すようにする。
【００２５】
そして、このように収容容器１０を外装体２０内に収容させた状態で、収容容器１０に設けられた口部１２から液体等の流体を収容容器１０内に充填し、その後、この収容容器１０の口部１２にキャップ１３を取り付けて密封させるようにする。このようにして、収容容器１０の口部１２にキャップ１３を取り付ける場合、収容容器１０の口部１２が上記の第１保持部３３における係止穴部３２に係止されているため、キャップ１３の取り付けが容易に行えるようになる。なお、収容容器１０の口部１２にキャップ１３を取り付ける方式は特に限定されず、押え込み式やねじ式等の何れの方式であってもよい。
【００２６】
また、この実施形態における流体輸送用容器においては、上記のように外装体２０の蓋部２１が、保持部材３０の第２保持部３４における下保持片３４ａと上保持片３４ｂとの間に挟み込まれて保持されているため、この蓋部２１が勝手に浮き上がったり、変形したりするのが抑制され、この流体輸送用容器を段積みした場合にも、荷崩れするのが防止される。
【００２７】
また、この実施形態における流体輸送用容器において、収容容器１０内に収容された液体等の流体を口部１２から取り出す場合において、流体が外部に漏れ出さないようにして他の容器（図示せず）に移し変えることができるようにするため、図９に示すように、上記の保持部材３０の上面の角部に流体案内用凹部３５を設けるようにし、またこの流体案内用凹部３５の先端に液切れ用突起３５ａを設けることが好ましい。
【図面の簡単な説明】
【００２８】
【図１】この発明の一実施形態に係る流体輸送用容器において使用する収容容器の正面図である。
【図２】上記の収容容器の平面図である。
【図３】上記の収容容器の変更例を示した正面図である。
【図４】上記の実施形態に係る流体輸送用容器において使用する外装体の平面図である。
【図５】上記の実施形態に係る流体輸送用容器において使用する保持部材の平面図である。
【図６】上記の保持部材の断面説明図である。
【図７】上記の実施形態に係る流体輸送用容器の平面図である。
【図８】上記の実施形態に係る流体輸送用容器の要部の断面説明図である。
【図９】上記の実施形態に係る流体輸送用容器において使用する保持部材の変更例を示した平面図である。
【符号の説明】
【００２９】
１０  収容容器
１１  収容容器の上面
１１ａ  収容容器の上面の角部
１２  口部
１３  キャップ
１４  取手
１５  収容容器の側壁
１６  折り曲げ用凹状
２０  外装体
２１  蓋部
２２  開口部
２３  取手取出口
２４  側壁
３０  保持部材
３１  係止部
３２  係止穴部
３２ａ  切り込み
３２ｂ  係止片
３３  第１保持部
３４  第２保持部
３４ａ  下保持片
３４ｂ  上保持片
３５  流体案内用凹部
３５ａ  液切れ用突起
【図１】
2005306438.tif 000003
【図２】
2005306438.tif 000004
【図３】
2005306438.tif 000005
【図４】
2005306438.tif 000006
【図５】
2005306438.tif 000007
【図６】
2005306438.tif 000008
【図７】
2005306438.tif 000009
【図８】
2005306438.tif 000010
【図９】
2005306438.tif 000011